(57)【要約】【課題】画像形成ユニットに対して露光ヘッドをスムーズに離間させることができるようにする。【解決手段】露光ヘッドを有する露光部と、開閉カバーの内面に固定され、前記露光部を、前記露光ヘッドの長手方向の一端側が前記第１の回転軸に近い側となり他端側が前記第１の回転軸から遠い側となる向きで保持する保持部とを備え、前記保持部は、前記保持部における前記第１の回転軸に近い側に、前記第１の回転軸と平行な第２の回転軸を中心に前記露光部を回転可能に支持する第１の支持部を有し、前記保持部における前記第１の回転軸から遠い側に、前記開閉カバーの内面に近づく方向及び前記開閉カバーの内面から遠ざかる方向に一定の範囲内で前記露光部を揺動可能に支持する第２の支持部を有する。【選択図】図１０
2020118868.tif 000002
【特許請求の範囲】
【請求項１】
画像形成ユニットと、前記画像形成ユニットを有する装置本体部と、第１の回転軸を中心に回転することにより前記装置本体部に対して開閉可能な開閉カバーと、前記開閉カバーの内側に設けられた露光ヘッドとを備え、前記開閉カバーを開閉することにより前記露光ヘッドを前記画像形成ユニットに対して離間又は当接させる画像形成装置において、
前記露光ヘッドを有する露光部と、
前記開閉カバーの内面に固定され、前記露光部を、前記露光ヘッドの長手方向の一端側が前記第１の回転軸に近い側となり他端側が前記第１の回転軸から遠い側となる向きで保持する保持部と
を備え、
前記保持部は、
前記保持部における前記第１の回転軸に近い側に、前記第１の回転軸と平行な第２の回転軸を中心に前記露光部を回転可能に支持する第１の支持部を有し、前記保持部における前記第１の回転軸から遠い側に、前記開閉カバーの内面に近づく方向及び前記開閉カバーの内面から遠ざかる方向に一定の範囲内で前記露光部を揺動可能に支持する第２の支持部を有する
ことを特徴とする画像形成装置。
【請求項２】
前記露光部は、
前記開閉カバーが開く際に、前記保持部に対して、前記露光部における前記第１の回転軸から遠い側が前記開閉カバーの内面から遠ざかる方向に、前記第２の回転軸を中心に一定量回転する
ことを特徴とする請求項１に記載の画像形成装置。
【請求項３】
前記画像形成ユニットは、
前記開閉カバーが閉じた際に、前記露光ヘッドにおける前記第１の回転軸に近い側と当接する第１の当接部と、前記露光ヘッドにおける前記第１の回転軸から遠い側と当接する第２の当接部とを有している
ことを特徴とする請求項２に記載の画像形成装置。
【請求項４】
前記露光ヘッドは、
前記第１の回転軸に近い側に、前記開閉カバーが閉じた際に前記画像形成ユニットに設けられたユニット側位置決め部と嵌合することにより前記画像形成ユニットに対する前記露光ヘッドの位置を決めるヘッド側位置決め部を有している
ことを特徴とする請求項３に記載の画像形成装置。
【請求項５】
前記露光部は、
前記保持部に対して、前記露光部における前記第１の回転軸から遠い側が前記開閉カバーの内面から遠ざかる方向に、前記第２の回転軸を中心に一定量回転する過程で、前記露光ヘッドが前記第２の当接部と当接している箇所を中心に回転することにより、前記ヘッド側位置決め部が前記ユニット側位置決め部から抜ける
ことを特徴とする請求項４に記載の画像形成装置。
【請求項６】
前記露光ヘッドは、
前記第１の回転軸から遠い側に、前記開閉カバーが閉じた際に前記画像形成ユニットに設けられたユニット側位置決め部と嵌合することにより前記画像形成ユニットに対する前記露光ヘッドの位置を決めるヘッド側位置決め部を有している
ことを特徴とする請求項３に記載の画像形成装置。
【請求項７】
前記第２の支持部は、
前記露光部又は前記保持部に設けられた、前記開閉カバーの内面に近づく方向及び前記開閉カバーの内面から遠ざかる方向に長い長孔に、前記露光部と前記保持部とを連結する連結ピンが挿入されていることにより、前記露光部を前記開閉カバーの内面に近づく方向及び前記開閉カバーの内面から遠ざかる方向に一定の範囲内で揺動可能に支持する
ことを特徴とする請求項１〜６のいずれかに記載の画像形成装置。
【請求項８】
前記露光部は、
前記露光ヘッドと、前記露光ヘッドを前記開閉カバーの内面に近づく方向及び当該内面から遠ざかる方向に一定の範囲内で揺動可能に保持するヘッドホルダと、前記ヘッドホルダにより揺動可能に保持されている前記露光ヘッドを前記開閉カバーの内面から遠ざかる方向に付勢する付勢部とを有し、
前記保持部は、
前記ヘッドホルダを、前記露光ヘッドの長手方向の一端側が前記第１の回転軸に近い側となり他端側が前記第１の回転軸から遠い側となる向きで保持する
ことを特徴とする請求項１〜７のいずれかに記載の画像形成装置。
【請求項９】
前記第１の支持部及び前記第２の支持部は、
さらに前記露光部を、前記第１の回転軸に近づく方向及び前記第１の回転軸から遠ざかる方向に一定の範囲内で揺動可能に支持する
ことを特徴とする請求項１〜８のいずれかに記載の画像形成装置。
【発明の詳細な説明】
【技術分野】
【０００１】
本発明は、電子写真方式の画像形成装置に関するものであり、特に露光ヘッドと画像形成ユニットとが当接・離間するように構成された画像形成装置に関するものである。
【背景技術】
【０００２】
従来、この種の画像形成装置として、装置本体部に対して開閉可能なトップカバーに露光ヘッド（例えばＬＥＤ（Light Emitting Diode）ヘッド）が取り付けられていて、トップカバーの開閉動作にともなってＬＥＤヘッドが装置本体部の画像形成ユニットに対して当接・離間するように構成されたものがある。
【０００３】
この画像形成装置では、例えば、ＬＥＤヘッドの長手方向（つまり主走査方向）の一端側にトップカバーの回転軸が設けられている。さらにＬＥＤヘッドには、画像形成ユニットと対向する面の長手方向の一端側に丸孔が設けられているとともに他端側に長手方向に長い長孔が設けられている。一方、画像形成ユニットには、ＬＥＤヘッドの丸孔及び長孔と対向する箇所に、それぞれ円柱状のボスが設けられている。そしてこの画像形成装置では、トップカバーが閉じたときに、ＬＥＤヘッドの丸孔及び長孔のそれぞれに画像形成ユニットのボスが嵌入されることにより、ＬＥＤヘッドと画像形成ユニットとの位置決めを行うようになっている（例えば特許文献１参照）。
【０００４】
つまり、この画像形成装置では、ＬＥＤヘッドの丸孔とこの丸孔に嵌入される画像形成ユニットの一方のボスとがトップカバーの回転軸に近い側に配置されていて、ＬＥＤヘッドの丸孔に画像形成ユニットの一方のボスが嵌入して、互いの中心位置が一致することにより、ＬＥＤヘッドが、画像形成ユニットに対して主走査方向（ＬＥＤヘッドの長手方向）及び副走査方向（用紙などの媒体の搬送方向であり主走査方向と直交する方向）に位置決めされるようになっている。
【０００５】
尚、画像形成ユニットには、２つのボスのそれぞれの近傍にＬＥＤヘッドと画像形成ユニットの感光体ドラムとの距離を一定に保つ突起部（以下、この突起部をコマと呼ぶ）が設けられていて、トップカバーが閉じたときに、ＬＥＤヘッドの丸孔及び長孔のそれぞれに画像形成ユニットのボスが嵌入されるとともに、ＬＥＤヘッドが画像形成ユニットの２つのコマに当接するようになっている。
【先行技術文献】
【特許文献】
【０００６】
【特許文献１】特開２０１６−６４８５号公報（図２０〜図２６）
【発明の概要】
【発明が解決しようとする課題】
【０００７】
ところで、従来の画像形成装置では、トップカバーが回転軸を中心に開く方向に回転すると、ＬＥＤヘッドがトップカバーとともに回転しながら画像形成ユニットから離間していく。具体的にＬＥＤヘッドは、トップカバーの回転軸に近い側のコマと当接している箇所（つまり丸孔の近傍）を中心に、トップカバーの回転軸から遠い側（つまり長孔が設けられている側）から先に画像形成ユニットから離間していくように回転する。
【０００８】
これにより、ＬＥＤヘッドは、まずトップカバーの回転軸から遠い側の長孔が画像形成ユニットの一方のボスから抜け、その後、さらにトップカバーとともに回転すると、トップカバーの回転軸から近い側の丸孔が画像形成ユニットのもう一方のボスから抜けるようになっている
【０００９】
ここで、ＬＥＤヘッドの丸孔とこの丸孔に嵌入される画像形成ユニットのボスは、トップカバーの回転軸に近い側に設けられているため、丸孔がボスから抜けるときのボスに対する丸孔の傾きが、例えば、トップカバーの回転軸から遠い側に設けられている長孔がボスから抜けるときのボスに対する長孔の傾きよりも大きくなる。このため、従来の画像形成装置では、トップカバーを開く際に、ＬＥＤヘッドの丸孔の内壁と画像形成ユニットのボスの外周とが干渉してＬＥＤヘッドを画像形成ユニットからスムーズに離間できない場合があるという問題を有していた。
【００１０】
本発明は以上の点を考慮したものであり、画像形成ユニットに対して露光ヘッドをスムーズに離間させることができる画像形成装置を提案しようとするものである。
【課題を解決するための手段】
【００１１】
本発明の画像形成装置は、画像形成ユニットと、前記画像形成ユニットを有する装置本体部と、第１の回転軸を中心に回転することにより前記装置本体部に対して開閉可能な開閉カバーと、前記開閉カバーの内側に設けられた露光ヘッドとを備え、前記開閉カバーを開閉することにより前記露光ヘッドを前記画像形成ユニットに対して離間又は当接させる画像形成装置であり、前記露光ヘッドを有する露光部と、前記開閉カバーの内面に固定され、前記露光部を、前記露光ヘッドの長手方向の一端側が前記第１の回転軸に近い側となり他端側が前記第１の回転軸から遠い側となる向きで保持する保持部とを備え、前記保持部は、前記保持部における前記第１の回転軸に近い側に、前記第１の回転軸と平行な第２の回転軸を中心に前記露光部を回転可能に支持する第１の支持部を有し、前記保持部における前記第１の回転軸から遠い側に、前記開閉カバーの内面に近づく方向及び前記開閉カバーの内面から遠ざかる方向に一定の範囲内で前記露光部を揺動可能に支持する第２の支持部を有する。
【００１２】
こうすることで、開閉カバーが開く際、露光部は、保持部に対して、第１の回転軸から遠い側が開閉カバーから遠ざかる方向に、第１の回転軸に近い側の第２の回転軸を中心に一定量回転しながら、露光ヘッドを画像形成ユニットから離間させていくことができる。つまり、画像形成ユニットに対する露光ヘッドの傾きを従来より小さくした状態で、露光ヘッドを画像形成ユニットから離間させていくことができ、露光ヘッドが画像形成ユニットから離間する際に、露光ヘッドと画像形成ユニットとが干渉してしまうことを防ぐことができる。
【発明の効果】
【００１３】
かくして、本発明は、画像形成ユニットに対して露光ヘッドをスムーズに離間させることができる画像形成装置を実現できる。
【図面の簡単な説明】
【００１４】
【図１】トップカバーが閉じたときの画像形成装置の外観を示す斜視図である。
【図２】トップカバーが全開のときの画像形成装置の外観を示す斜視図である。
【図３】トップカバーが全開のときのＬＥＤヘッドＡｓｓｙの外観を示す斜視図である。
【図４】トップカバーが閉じたときのＬＥＤヘッドＡｓｓｙの側面図である。
【図５】トップカバーが閉じたときのＬＥＤヘッドＡｓｓｙ及び画像形成ユニットの部分断面図である。
【図６】画像形成ユニットの外観を示す斜視図である。
【図７】画像形成ユニットの部分断面図である。
【図８】画像形成装置の内部を示す側面図である。
【図９】トップカバーが開くときのＬＥＤヘッドＡｓｓｙの動作を示す遷移図である。
【図１０】図９につづく、トップカバーが開くときのＬＥＤヘッドＡｓｓｙの動作を示す遷移図である。
【図１１】図１０につづく、トップカバーが開くときのＬＥＤヘッドＡｓｓｙの動作を示す遷移図である。
【発明を実施するための形態】
【００１５】
以下、発明を実施するための形態（以下、これを実施の形態と呼ぶ）について、図面を用いて詳細に説明する。
【００１６】
［１．画像形成装置の外観構成］
図１及び図２に、本実施の形態による画像形成装置１の外観構成を示す。この画像形成装置１は、電子写真方式でロール紙に画像を形成（つまり印刷）するプリンタである。尚、図１は、後述するトップカバー６を閉じたときの画像形成装置１の外観を示す斜視図であり、図２は、トップカバー６が全開のときの画像形成装置１の外観を示す斜視図である。
【００１７】
図１及び図２に示すように、画像形成装置１は、印刷装置２と給紙装置３とで構成されている。印刷装置２は、直方体形状の装置筐体４を有している。ここで、装置筐体４の前面から後面への方向を後方向、後面から前面への方向を前方向、装置筐体４の下側から上側への方向を上方向、装置筐体４の上側から下側への方向を下方向、装置筐体４の右側から左側への方向を左方向、装置筐体４の左側から右側への方向を右方向と定義する。
【００１８】
装置筐体４は、上面が開口部５ｈとなっている箱型の装置本体部５と、装置本体部５の開口部５ｈを覆う蓋状のトップカバー６とで構成されている。トップカバー６は、トップカバー６の後面下部と装置本体部５の後面上部とを繋ぐヒンジ（図示せず）により、装置本体部５に対して開閉可能に取り付けられている。具体的にトップカバー６は、ヒンジに設けられた左右方向に延びる第１の回転軸となるカバー回転軸７を中心に回転することで、装置本体部５に対して開閉するようになっている。
【００１９】
このように装置筐体４は、トップカバー６が開閉可能であり、トップカバー６を開くと、トップカバー６の内側に設けられた複数（例えば４個）のＬＥＤヘッドＡｓｓｙ８と、装置本体部５の内側に設けられた複数（例えば４個）の画像形成ユニット９とが離間し、トップカバー６を閉じると、トップカバー６の内側に設けられた４個のＬＥＤヘッドＡｓｓｙ８と、装置本体部５の内側に設けられた４個の画像形成ユニット９とが当接するようになっている。尚、ＬＥＤヘッドＡｓｓｙ８と画像形成ユニット９については後述する。
【００２０】
一方、給紙装置３は、印刷装置２の一側面（例えば装置本体部５の右側面）に取り付けられていて、図示しないロール紙を回転自在に保持するロール紙挿入軸１０と、ロール紙挿入軸１０により保持されるロール紙の幅方向の位置を規制するロール紙突き当てフランジ１１と、ロール紙挿入軸１０により保持されるロール紙を印刷装置２へと給紙する給紙部１２とを有している。具体的にロール紙挿入軸１０は、装置筐体４の前後方向に延びていて、ロール紙突き当てフランジ１１は、ロール紙挿入軸１０の後端側（つまり画像形成装置１の奥側）に設けられている。
【００２１】
この給紙装置３では、ロール紙をロール紙挿入軸１０の前端側から挿入してロール紙突き当てフランジ１１に突き当てることで、ロール紙がセットされるようになっている。
【００２２】
画像形成装置１の外観構成は、以上のようになっている。この画像形成装置１は、給紙装置３により印刷装置２へとロール紙を供給して、印刷装置２によりロール紙に画像を印刷した後、印刷装置２によりロール紙を排出するようになっている。
【００２３】
［２．ＬＥＤヘッドＡｓｓｙ及び画像形成ユニットの構成］
次に、ＬＥＤヘッドＡｓｓｙ８及び画像形成ユニット９の構成について説明する。図２に示すように、装置本体部５の内側には、画像形成ユニット９が、カバー回転軸７と平行な左右方向（以下、これをカバー回転軸方向と呼ぶ）に隣接するようにして４個並設されている。４個の画像形成ユニット９は、同一構成であり、例えばマゼンタ、シアン、イエロー、ブラックの４色に対応している。
【００２４】
一方、トップカバー６の内側には、露光ヘッドとしてのＬＥＤヘッド２０を含んだ構成部品であるＬＥＤヘッドＡｓｓｙ８が、カバー回転軸方向に間隔を空けるようにして４個並設されている。４個のＬＥＤヘッドＡｓｓｙ８は、同一構成であり、それぞれが４個の画像形成ユニット９のそれぞれに対応している。各ＬＥＤヘッドＡｓｓｙ８は、それぞれトップカバー６の内面６ｂから突出するように設けられ、先端部にＬＥＤヘッド２０を保持している。具体的に各ＬＥＤヘッドＡｓｓｙ８は、角棒状のＬＥＤヘッド２０を、トップカバー６の内面６ｂに沿って、長手方向の一端側がカバー回転軸７に近い側となり他端側がカバー回転軸７から遠い側となる向き（つまりＬＥＤヘッド２０の長手方向がカバー回転軸方向と直交する向き）で、先端部に保持している。
【００２５】
尚、画像形成装置１では、ＬＥＤヘッド２０の長手方向（つまりカバー回転軸方向と直交する方向及び画像形成装置１の前後方向）が主走査方向となり、４個のＬＥＤヘッド２０の並び方向（つまりカバー回転軸方向及び画像形成装置１の左右方向）が副走査方向となる。
【００２６】
ここで、ＬＥＤヘッドＡｓｓｙ８の構成についてさらに詳しく説明する。尚、４個のＬＥＤヘッドＡｓｓｙ８は同一構成のため、ここでは、４個のＬＥＤヘッドＡｓｓｙ８のうちの１つの構成について詳しく説明する。図３及び図４に、ＬＥＤヘッドＡｓｓｙ８の構成を示す。図３は、トップカバー６が全開のときのＬＥＤヘッドＡｓｓｙ８を前側から見た場合の斜視図であり、図４はトップカバー６が閉じたときのＬＥＤヘッドＡｓｓｙ８を右側から見た場合の側面図である。
【００２７】
これら図３及び図４に示すように、ＬＥＤヘッドＡｓｓｙ８は、全体的にカバー回転軸方向と直交する方向（図３では上下方向、図４では前後方向）に長くカバー回転軸方向（左右方向）に薄く形成された板状であり、ＬＥＤヘッド２０と、ＬＥＤヘッド２０を保持するヘッドホルダ２１と、トップカバー６の内面６ｂに取り付けられていてヘッドホルダ２１を保持する保持部材２２とを有している。つまり、ＬＥＤヘッドＡｓｓｙ８は、根本側（トップカバー６の内面６ｂに近い側）に位置する保持部材２２と、先端側（トップカバー６の内面６ｂから遠い側）に位置するＬＥＤヘッド２０と、これらの間に位置するヘッドホルダ２１とを有している。
【００２８】
トップカバー６の内面６ｂには、カバー回転軸方向と直交する方向に間隔を空けるようにして２個の固定プレート２３が設けられ、２個の固定プレート２３に対してＬＥＤヘッドＡｓｓｙ８の保持部材２２が取り付けられている。尚、２個の固定プレート２３の間には、カバー回転軸方向と直交する方向に延びる連結シャフト２４が掛け渡されていて、保持部材２２は、この連結シャフト２４を介して２個の固定プレート２３に取り付けられている。
【００２９】
保持部材２２は、ヘッドホルダ２１側の端部に、カバー回転軸方向と直交する方向（ＬＥＤヘッドＡｓｓｙ８の長手方向）に間隔を空けるようにして２個のホルダ支持部２５、２６を有している。ここで、カバー回転軸７に近い側のホルダ支持部２５を第１のホルダ支持部２５（第１の支持部）と呼び、カバー回転軸７から遠い側のホルダ支持部２６を第２のホルダ支持部２６（第２の支持部）と呼ぶ。
【００３０】
第１のホルダ支持部２５は、ヘッドホルダ２１側に延びカバー回転軸方向（つまりヘッドホルダ２１の厚さ方向）に間隔を空けて対向する一対の支持プレート２５ｐを有している。また一対の支持プレート２５ｐには、それぞれ円形の丸孔２５ｈが対向するように設けられている。尚、この丸孔２５ｈは、支持プレート２５ｐを貫通する孔である。
【００３１】
第２のホルダ支持部２６も、第１のホルダ支持部２５と同様、ヘッドホルダ２１側に延びカバー回転軸方向（つまりヘッドホルダ２１の厚さ方向）に間隔を空けて対向する一対の支持プレート２６ｐを有している。また一対の支持プレート２６ｐには、それぞれトップカバー６の内面６ｂと直交する方向に長い小判型の長孔２６ｈが対向するように設けられている。尚、この長孔２６ｈは、支持プレート２６ｐを貫通する孔である。
【００３２】
一方、ヘッドホルダ２１の保持部材２２側の端部には、第１のホルダ支持部２５と対応する位置に長孔２１ｈ１が設けられ、第２のホルダ支持部２６と対応する位置にも長孔２１ｈ２が設けられている。２つの長孔２１ｈ１、２１ｈ２は、それぞれヘッドホルダ２１を厚さ方向に貫通する孔であり、カバー回転軸方向と直交する方向（ＬＥＤヘッドＡｓｓｙ８の長手方向）に延びている。
【００３３】
保持部材２２は、第１のホルダ支持部２５に設けられた一対の支持プレート２５ｐの間と、第２のホルダ支持部２６に設けられた一対の支持プレート２６ｐの間とに、ヘッドホルダ２１の保持部材２２側の端部を挟み込み、支持プレート２５ｐの丸孔２５ｈとヘッドホルダ２１の長孔２１ｈ１とに第２の回転軸となる円柱状の連結ピン２７がカバー回転軸方向と平行に挿入され、支持プレート２６ｐの長孔２６ｈとヘッドホルダ２１の長孔２１ｈ２とに円柱状の連結ピン２８がカバー回転軸方向と平行に挿入されていることにより、ヘッドホルダ２１と連結されるようになっている。
【００３４】
このようにヘッドホルダ２１と連結されることで、保持部材２２は、第１のホルダ支持部２５と第２のホルダ支持部２６によって、ヘッドホルダ２１を、ヘッドホルダ２１側の２つの長孔２１ｈ１、ｈ２に沿って、カバー回転軸方向と直交する方向（ＬＥＤヘッドＡｓｓｙ８の長手方向）に一定の範囲内で揺動可能に支持するようになっている。
【００３５】
また保持部材２２は、第１のホルダ支持部２５によって、ヘッドホルダ２１のカバー回転軸７に近い側を、丸孔２５ｈに挿入された連結ピン２７を中心に回転自在に支持するとともに、第２のホルダ支持部２６によって、ヘッドホルダ２１のカバー回転軸７から遠い側を、長孔２６ｈに沿って、トップカバー６の内面６ｂと直交する方向に一定の範囲内で揺動可能に支持するようになっている。すなわち、保持部材２２は、第１のホルダ支持部２５と第２のホルダ支持部２６によって、ヘッドホルダ２１を、カバー回転軸７に近い側に位置する連結ピン２７を中心に、カバー回転軸７から遠い側がトップカバー６に近づく方向及びトップカバー６から遠ざかる方向に一定の範囲内で回転可能に支持するようになっている。
【００３６】
さらに保持部材２２は、ヘッドホルダ２１との間に掛け渡された引っ張りスプリング２９によって、ヘッドホルダ２１をカバー回転軸７から遠ざかる方向（図３では上方、図４では前方）に付勢した状態で支持するようになっている。
【００３７】
またヘッドホルダ２１は、カバー回転軸７に近い側の端部に、ＬＥＤヘッド２０側に延びる第１のヘッド支持部３０を有し、カバー回転軸７から遠い側の端部に、ＬＥＤヘッド２０側に延びる第２のヘッド支持部３１を有している。第１のヘッド支持部３０と第２のヘッド支持部３１との間隔は、ＬＥＤヘッド２０の長手方向の長さと同程度となっている。
【００３８】
図３、図４に加えて、トップカバー６が閉じた際のヘッドホルダ２１及びＬＥＤヘッド２０を右側から見た場合の部分断面図である図５に示すように、第１のヘッド支持部３０は、先端部に、第１のヘッド支持部３０の延在方向（すなわちトップカバー６の内面６ｂに近づく方向及び内面６ｂから遠ざかる方向）に長く、第１のヘッド支持部３０をカバー回転軸方向と直交する方向（ＬＥＤヘッドＡｓｓｙ８の長手方向）に貫通する長方形状の長孔３０ｈが設けられている。第２のヘッド支持部３１も同様に、先端部に、第２のヘッド支持部３１の延在方向に長く、第２のヘッド支持部３１をカバー回転軸方向と直交する方向に貫通する長方形状の長孔３１ｈが設けられている。
【００３９】
一方、ＬＥＤヘッド２０は、カバー回転軸７に近い側の端部に、外側に突出する突起部２０ｐ１が設けられ、カバー回転軸７から遠い側の端部に、外側に突出する突起部２０ｐ２が設けられている。
【００４０】
ヘッドホルダ２１は、第１のヘッド支持部３０の長孔３０ｈに、ＬＥＤヘッド２０の突起部２０ｐ１が挿入されているとともに、第２のヘッド支持部３１の長孔３１ｈに、ＬＥＤヘッド２０の突起部２０ｐ２が挿入されていることにより、ＬＥＤヘッド２０を、長孔３０ｈ、３１ｈに沿って、トップカバー６の内面６ｂに近づく方向及び内面６ｂから遠ざかる方向に一定の範囲内で揺動可能に支持するようになっている。
【００４１】
さらにヘッドホルダ２１は、第１のヘッド支持部３０の近傍にＬＥＤヘッド２０との間に圧縮した状態で掛け渡された圧縮スプリング３２を有し、第２のヘッド支持部３１の近傍にＬＥＤヘッド２０との間に圧縮した状態で掛け渡された圧縮スプリング３３を有している。
【００４２】
これら二つの圧縮スプリング３２、３３により、ヘッドホルダ２１は、ＬＥＤヘッド２０の長手方向の両端に位置する突起部２０ｐ１と突起部２０ｐ２とを、第１のヘッド支持部３０の長孔３０ｈの先端側に位置する底面３０ｂと第２のヘッド支持部３１の長孔３１ｈの先端側に位置する底面３１ｂとに押し付けた状態で支持するようになっている。換言すると、ヘッドホルダ２１は、二つの圧縮スプリング３２、３３により、ＬＥＤヘッド２０を、トップカバー６の内面６ｂから遠ざかる方向に付勢した状態で支持するようになっている。
【００４３】
以下、第１のヘッド支持部３０の長孔３０ｈの底面３０ｂをヘッド当接部３０ｂと呼び、第２のヘッド支持部３１の長孔３１ｈの底面３１ｂをヘッド当接部３１ｂと呼ぶ。尚、詳しくは後述するが、図５に示すようにトップカバー６が閉じると、ヘッドホルダ２１のヘッド当接部３０ｂ、３１ｂとＬＥＤヘッド２０の突起部２０ｐ１、２０ｐ２とは離間するようになっている。
【００４４】
さらにヘッドホルダ２１は、第２のヘッド支持部３１の先端部のカバー回転軸７から遠い側（前側）に、ローラ形状のコロ３４が回転自在に取り付けられている。
【００４５】
またＬＥＤヘッド２０は、図３に示すように、画像形成ユニット９と当接する面（図３では前面）のカバー回転軸７に近い側に円形の丸孔２０ｈ１が設けられ、カバー回転軸７から遠い側にＬＥＤヘッド２０の長手方向に長い長孔２０ｈ２が設けられている。ＬＥＤヘッドＡｓｓｙ８の構成は、以上のようになっている。
【００４６】
つづけて、画像形成ユニット９の構成について簡単に説明する。尚、４個の画像形成ユニット９は同一構成のため、ここでは、４個の画像形成ユニット９のうちの１つの構成について簡単に説明する。図６及び図７に、画像形成ユニット９の構成を示す。図６は、画像形成ユニット９を前側から見た場合の斜視図であり、画像形成ユニット９を右側から見た場合の部分断面図である。
【００４７】
これら図６及び図７に示すように、画像形成ユニット９は、略箱型の筐体４０を有していて、筐体４０の内部に、前後方向に延びる円柱状のイメージドラム４１と、このイメージドラム４１の回転軸となる前後方向に延びるイメージドラムシャフト４２とが回転可能に設けられている。
【００４８】
筐体４０には、イメージドラム４１の真上となる位置に、トップカバー６が閉じたときにＬＥＤヘッド２０と対向する前後方向に長いヘッド対向部４３が設けられている。ヘッド対向部４３は、長手方向の長さが、ＬＥＤヘッド２０の長手方向の長さと同程度であり、カバー回転軸７（図６、図７では省略）に近い側の後端部に略円柱状のボス４４が突出して設けられ、カバー回転軸７から遠い側の前端部にもボス４４と同形状のボス４５が突出して設けられている。別の言い方をすると、ヘッド対向部４３には、ＬＥＤヘッド２０の丸孔２０ｈ１と対向する位置にボス４４が設けられ、ＬＥＤヘッド２０の長孔２０ｈ２と対向する位置にボス４５が設けられている。
【００４９】
カバー回転軸７に近い側のボス４４は、ＬＥＤヘッド２０の丸孔２０ｈ１の径よりわずかに小さな外径でなり、トップカバー６が閉じたときにＬＥＤヘッド２０の丸孔２０ｈ１に嵌入される部分である。カバー回転軸７から遠い側のボス４５は、ＬＥＤヘッド２０の長孔２０ｈ２の短手方向の長さよりわずかに小さな外径でなり、トップカバー６が閉じたときにＬＥＤヘッド２０の長孔２０ｈ２に嵌入される部分である。またボス４４、４５は、ともに先端部が先細りのテーパ形状となっていて、ＬＥＤヘッド２０の丸孔２０ｈ１、長孔２０ｈ２に対して抜き差しし易くなっている。
【００５０】
さらにヘッド対向部４３は、ボス４４の近傍とボス４５の近傍とに、コマ４６とコマ４７とが突出して設けられている。コマ４６とコマ４７は、トップカバー６が閉じたときにＬＥＤヘッド２０と当接することにより、ＬＥＤヘッド２０とイメージドラム４１の表面との距離を一定に保つようになっている。画像形成ユニット９の構成は、以上のようになっている。
【００５１】
この画像形成ユニット９は、図５に部分断面図を示すように、イメージドラムシャフト４２の一端部及び他端部が筐体４０の外側に突出するようになっていて、イメージドラムシャフト４２の一端部が、装置本体部５内部の後面側に位置するフレーム５０に設けられた図示しない溝に嵌入するとともに、他端部が、装置本体部５内部の前面側に位置するフレーム５１に設けられた図示しない溝に嵌入することにより、位置決めされている。
【００５２】
尚、図５に示すように、カバー回転軸７に近い側のボス４４とカバー回転軸７から遠い側のコマ４７との距離は、ボス４４とカバー回転軸７との距離よりも離れている。
【００５３】
以上の構成により、図５に示すように、ＬＥＤヘッドＡｓｓｙ８と画像形成ユニット９は、トップカバー６が閉じると、画像形成ユニット９側のヘッド対向部４３にＬＥＤヘッドＡｓｓｙ８側のＬＥＤヘッド２０が近接して、ヘッド対向部４３のコマ４６とコマ４７とがＬＥＤヘッド２０に当接するとともに、ヘッド対向部４３のボス４４とボス４５が、ＬＥＤヘッド２０の丸孔２０ｈ１と長孔２０ｈ２に嵌入されるようになっている。このとき、ＬＥＤヘッド２０は、丸孔２０ｈ１の中心位置と画像形成ユニット９のボス４４の中心位置とが一致することにより、画像形成ユニット９に対して主走査方向（ＬＥＤヘッド２０の長手方向）及び副走査方向（カバー回転軸方向及びＬＥＤヘッド２０の並び方向）に位置決めされるようになっている。
【００５４】
尚、ＬＥＤヘッドＡｓｓｙ８は、トップカバー６が閉じる際、ヘッドホルダ２１の前側に設けられたコロ３４が装置本体部５の前面側に位置するガイド面５２に当接して、ヘッドホルダ２１がカバー回転軸７側に押し込まれるようになっていて、この状態で、画像形成ユニット９に対してＬＥＤヘッド２０が位置決めされるようになっている。
【００５５】
このように、画像形成装置１では、カバー回転軸７に近い側に位置する丸孔２０ｈ１とボス４４とにより、カバー回転軸７に近い側（つまり画像形成装置１の奥側）でＬＥＤヘッド２０の位置決めを行うようになっているが、この理由は、主に以下の３つである。すなわち、ロール紙のセット基準（搬送基準）が、画像形成装置１の奥側に位置するロール紙突き当てフランジ１１となっていること、画像形成装置１の手前側からトップカバー６を開閉できるようにした方がトップカバー６を開閉し易いこと、ロール紙のセット基準（搬送基準）とＬＥＤヘッド２０による書出位置基準（つまりＬＥＤヘッド２０の長手方向の一端）とを近接させた方が高精度に印刷できることの３つである。
【００５６】
一方で、カバー回転軸７から遠い側に位置する長孔２０ｈ２とボス４５については、互いの中心位置を一致させるような高い精度は要求されないため、長孔２０ｈ２に対して緩々な状態でボス４５が嵌入されるようになっていてもよい。
【００５７】
［３．印刷装置の内部構成］
次に、印刷装置２の内部構成について図８を用いて簡単に説明する。図８は、印刷装置２を前側から見た場合の内部構成図である。この図８に示すように、印刷装置２は、装置筐体４の内部に、複数の搬送ローラ対６０Ａ〜６０Ｃと、二次転写部６１と、定着部６２と、４個の画像形成ユニット９と、４個のＬＥＤヘッドＡｓｓｙ８と、転写ベルト６３とを有している。
【００５８】
装置筐体４内の下部には、装置筐体４の右側面から左側面へと左右方向に延び、給紙装置３の給紙部１２と接続される搬送路Ｒが設けられている。装置筐体４内部には、この搬送路Ｒに沿って、搬送ローラ対６０Ａ、搬送ローラ対６０Ｂ、二次転写部６１、定着部６２、搬送ローラ対６０Ｃが、ロール紙Ｐｒの搬送方向上流側（つまり給紙装置３に近い側）から順に設けられている。またこの搬送路Ｒ上には、搬送路Ｒに沿って搬送されるロール紙Ｐｒを検知するセンサなども設けられている。給紙部１２から装置筐体４へと供給されたロール紙Ｐｒは、搬送ローラ対６０Ａ、６０Ｂにより、搬送路Ｒに沿って二次転写部６１へと搬送される。
【００５９】
さらに装置筐体４内の上部には、４個の画像形成ユニット９が、左右方向に並べて配置され、さらに４個の画像形成ユニット９のそれぞれのイメージドラム４１の上方にＬＥＤヘッドＡｓｓｙ８が近接配置されている。さらに４個の画像形成ユニット９と搬送路Ｒとの間に転写ベルト６３が配置されている。
【００６０】
各ＬＥＤヘッドＡｓｓｙ８は、ＬＥＤヘッド２０（図８では省略）により、画像形成ユニット９のイメージドラム４１の表面に静電潜像を形成するようになっている。各画像形成ユニット９は、対応する色の現像剤を用いてイメージドラム４１の表面に形成された静電潜像を現像することによりイメージドラム４１の表面に対応する色の現像剤像を形成する。このようにして各イメージドラム４１に形成された現像剤像は、転写ベルト６３に転写（一次転写）される。転写ベルト６３は、環状であり、各イメージドラム４１から転写された現像剤像を二次転写部６１へと搬送する。
【００６１】
二次転写部６１は、転写ベルト６３により搬送されてきた現像剤像を、搬送路Ｒに沿って搬送されてきたロール紙Ｐｒに転写（二次転写）する。現像剤像が転写されたロール紙Ｐｒは、二次転写部６１により、搬送路Ｒに沿って定着部６２へと搬送される。定着部６２は、加熱及び加圧により、現像剤像をロール紙Ｐｒに定着させる。そして、現像剤像が定着したロール紙Ｐｒが、搬送ローラ対６０Ｃにより搬送され、装置筐体４の外部に排出される。印刷装置２の内部構成は以上のようになっている。
【００６２】
［４．トップカバーが開くときのＬＥＤヘッドＡｓｓｙ８の動作］
次に、トップカバー６が開く際のＬＥＤヘッドＡｓｓｙ８の動作について詳しく説明する。尚、４個のＬＥＤヘッドＡｓｓｙ８の動作は同一のため、ここでは、４個のＬＥＤヘッドＡｓｓｙ８のうちの１つの動作について詳しく説明する。図９〜図１１に、トップカバー６が開くときのＬＥＤヘッドＡｓｓｙ８の動作遷移図を示す。図９〜図１１は、トップカバー６が開く際のＬＥＤヘッドＡｓｓｙ８及びその周辺部を右側から見た場合の側面図であり、一部を省略したり簡略化したりした図となっている。また図９〜図１１では、図９（Ａ）にトップカバー６が閉じた状態を示し、図９（Ｂ）、（Ｃ）、図１０（Ａ）、（Ｂ）、（Ｃ）、図１１（Ａ）、（Ｂ）の順に、トップカバー６が少しずつ開いていく様子を示している。
【００６３】
図９（Ａ）に示すように、トップカバー６が閉じているとき、ＬＥＤヘッドＡｓｓｙ８は、画像形成ユニット９のヘッド対向部４３に設けられたコマ４６、４７がＬＥＤヘッド２０に当接するとともに、ヘッド対向部４３に設けられたボス４４とボス４５がＬＥＤヘッド２０の丸孔２０ｈ１と長孔２０ｈ２に嵌入されている。このときＬＥＤヘッド２０は、トップカバー６の内面６ｂと平行な状態となっている。
【００６４】
またこのときＬＥＤヘッドＡｓｓｙ８は、ＬＥＤヘッド２０がコマ４６、４７と当接してトップカバー６の内面６ｂに近づく方向（圧縮スプリング３２、３３を縮ませる方向）に押し上げられていることにより、ヘッドホルダ２１のヘッド当接部３０ｂ、３１ｂと、ＬＥＤヘッド２０の突起部２０ｐ１、２０ｐ２とが離間している。
【００６５】
さらにこのときＬＥＤヘッドＡｓｓｙ８は、ヘッドホルダ２１におけるカバー回転軸７から遠い側が圧縮スプリング３３によりトップカバー６の内面６ｂに近づく方向に押し上げられていることにより、カバー回転軸７から遠い側の連結ピン２８が保持部材２２の第２のホルダ支持部２６に設けられた長孔２６ｈの上端（内面６ｂに近い側の端）に当接している。
【００６６】
図９（Ａ）に示す状態（つまりトップカバー６が閉じた状態）から、トップカバー６がカバー回転軸７を中心に図９（Ａ）中時計回り方向に回転して開き始めると、図９（Ｂ）に示すように、ＬＥＤヘッドＡｓｓｙ８は、トップカバー６の回転にともなって、トップカバー６の内面６ｂに固定されている保持部材２２が上昇し始める。このとき保持部材２２は、カバー回転軸７から近い側より遠い側の方が大きく上昇する。
【００６７】
またこのとき、ＬＥＤヘッドＡｓｓｙ８は、保持部材２２の上昇にともなってヘッドホルダ２１も上昇する。このときヘッドホルダ２１は、カバー回転軸７から遠い側の圧縮スプリング３３が伸びることによりカバー回転軸７から遠い側がトップカバー６の内面６ｂに近づく方向に押し上げられ、保持部材２２と同様、カバー回転軸７に近い側より遠い側の方が大きく上昇する。このとき、連結ピン２８は、長孔２６ｈの上端に当接したままである。
【００６８】
またこのとき、ヘッドホルダ２１は、圧縮スプリング３２、３３が伸びることにより、ＬＥＤヘッド２０を、コマ４６、４７に押し付けた状態のまま上昇する。つまり、この時点で、ＬＥＤヘッド２０は、まだ画像形成ユニット９のヘッド対向部４３から離間していない。さらにこのときヘッドホルダ２１は、カバー回転軸７から遠い側に設けられたヘッド当接部３１ｂがＬＥＤヘッド２０の突起部２０ｐ２と当接する。尚、このとき、カバー回転軸７に近い側に設けられたヘッド当接部３０ｂと、ＬＥＤヘッド２０の突起部２０ｐ１はまだ離間している。
【００６９】
この図９（Ｂ）に示すように、ＬＥＤヘッドＡｓｓｙ８は、トップカバー６が回転して開き始めると、ＬＥＤヘッド２０はそのままに、保持部材２２とヘッドホルダ２１とが、カバー回転軸７から近い側より遠い側の方が上昇量が大きくなるように上昇する。
【００７０】
図９（Ｂ）に示す状態からさらにトップカバー６が開くと、図９（Ｃ）に示すように、ＬＥＤヘッドＡｓｓｙ８は、トップカバー６の回転にともなって、保持部材２２がさらに上昇する。このときも保持部材２２は、カバー回転軸７から近い側より遠い側の方が大きく上昇する。
【００７１】
このとき、ヘッドホルダ２１におけるカバー回転軸７から遠い側は、ヘッド当接部３１ｂとＬＥＤヘッド２０の突起部２０ｐ２とが当接していて圧縮スプリング３２がこれ以上伸びないことから、トップカバー６の内面６ｂに近づく方向へ押し上げるような力を圧縮スプリング３３から受けてなく、連結ピン２８が長孔２６ｈの上端から下端へ向かう方向（つまりトップカバー６の内面６ｂから遠ざかる方向）に移動可能となる。一方、ヘッドホルダ２１におけるカバー回転軸７に近い側は、保持部材２２におけるカバー回転軸７に近い側の上昇にともなって上昇する。
【００７２】
この結果、ヘッドホルダ２１は、上昇する保持部材２２に対して、カバー回転軸７から遠い側がトップカバー６の内面６ｂから遠ざかる方向に、カバー回転軸７に近い側の連結ピン２７を中心に回転しながら、カバー回転軸７から近い側が上昇する。つまり、このときのヘッドホルダ２１は、カバー回転軸７から遠い側については上昇せずにトップカバー６の内面６ｂから離れていき、カバー回転軸７に近い側のみが上昇する。よってこのとき、ヘッドホルダ２１は、画像形成ユニット９のヘッド対向部４３に対する回転角度（つまり傾き）が、トップカバー６より小さくなる。
【００７３】
尚、ヘッドホルダ２１におけるカバー回転軸７に近い側は、圧縮スプリング３２が伸びることにより、ＬＥＤヘッド２０におけるカバー回転軸７に近い側をコマ４６に押し付けた状態のまま上昇する。つまり、この時点で、ＬＥＤヘッド２０は、まだ画像形成ユニット９のヘッド対向部４３から離間していない。
【００７４】
またこのとき、カバー回転軸７に近い側に設けられたヘッド当接部３０ｂと、ＬＥＤヘッド２０の突起部２０ｐ１はまだ離間している。さらにこのとき、連結ピン２８は長孔２６ｈの上端から離れているが、下端に到達していない。
【００７５】
この図９（Ｃ）に示すように、ＬＥＤヘッドＡｓｓｙ８は、ヘッドホルダ２１におけるカバー回転軸７から遠い側に設けられたヘッド当接部３１ｂがＬＥＤヘッド２０の突起部２０ｐ２と当接した後、トップカバー６がさらに回転すると、ＬＥＤヘッド２０はそのままに、保持部材２２についてはカバー回転軸７に近い側より遠い側の方が上昇量が大きくなるように上昇する一方で、ヘッドホルダ２１についてはカバー回転軸７に近い側のみが上昇する。
【００７６】
図９（Ｃ）に示す状態からさらにトップカバー６が開くと、図１０（Ａ）に示すように、ＬＥＤヘッドＡｓｓｙ８は、トップカバー６の回転にともなって、保持部材２２がさらに上昇する。このときも保持部材２２は、カバー回転軸７から近い側より遠い側の方が大きく上昇する。
【００７７】
このとき、ヘッドホルダ２１は、引き続き、カバー回転軸７から遠い側については上昇せずに保持部材２２から離れていき、カバー回転軸７に近い側のみが上昇する。そしてこのとき、ヘッドホルダ２１におけるカバー回転軸７に近い側に設けられたヘッド当接部３０ｂが、ＬＥＤヘッド２０の突起部２０ｐ１と当接する。
【００７８】
つまりこのとき、ヘッドホルダ２１は、ヘッド当接部３０ｂ、３１ｂが、ＬＥＤヘッド２０の突起部２０ｐ１、２０ｐ２と当接したことになる。このとき、ＬＥＤヘッド２０は、まだ画像形成ユニット９のヘッド対向部４３から離間していない。よってこのとき、ヘッドホルダ２１は、画像形成ユニット９のヘッド対向部４３に対する回転角度が０度となる。つまりこのとき、ＬＥＤヘッドＡｓｓｙ８は、ヘッドホルダ２１とＬＥＤヘッド２０がともに、ヘッド対向部４３に対して平行になる。尚、このとき、連結ピン２８はまだ長孔２６ｈの下端には到達していない。
【００７９】
この図１０（Ａ）に示すように、ＬＥＤヘッドＡｓｓｙ８は、ヘッドホルダ２１におけるカバー回転軸７から遠い側に設けられたヘッド当接部３１ｂがＬＥＤヘッド２０の突起部２０ｐ２と当接した後、トップカバー６の回転にともなって、ＬＥＤヘッド２０はそのままに、保持部材２２についてはカバー回転軸７に近い側より遠い側の方が上昇量が大きくなるように上昇する一方で、ヘッドホルダ２１についてはカバー回転軸７に近い側のみが上昇していき、ヘッドホルダ２１におけるカバー回転軸７に近い側に設けられたヘッド当接部３０ｂがＬＥＤヘッド２０の突起部２０ｐ１と当接する。
【００８０】
図１０（Ａ）に示す状態からさらにトップカバー６が回転すると、図１０（Ｂ）に示すように、ＬＥＤヘッドＡｓｓｙ８は、トップカバー６の回転にともなって、保持部材２２がさらに上昇する。このときも保持部材２２は、カバー回転軸７から近い側より遠い側の方が大きく上昇する。
【００８１】
このときヘッドホルダ２１は、連結ピン２８が長孔２６ｈの下端に到達するまで、カバー回転軸７から遠い側については上昇せずに保持部材２２から離れていき、カバー回転軸７に近い側のみが上昇する。このときＬＥＤヘッド２０は、カバー回転軸７に近い側に設けられた突起部２０ｐ１がヘッドホルダ２１のヘッド当接部３０ｂと当接していることにより、カバー回転軸７に近い側が、ヘッドホルダ２１におけるカバー回転軸７に近い側の上昇にともなって上昇する。
【００８２】
つまりこのとき、ＬＥＤヘッド２０は、カバー回転軸７に近い側が画像形成ユニット９のヘッド対向部４３から遠ざかる方向に、カバー回転軸７から遠い側のコマ４７と当接している箇所を中心に回転（つまり図中反時計回り方向に回転）する。これにより、ＬＥＤヘッド２０は、カバー回転軸７に近い側がコマ４６から離れ始めるとともに、カバー回転軸７に近い側の丸孔２０ｈ１がボス４４から抜け始める（まだ完全に抜けてはいない）。
【００８３】
この図１０（Ｂ）に示すように、ＬＥＤヘッドＡｓｓｙ８は、ヘッドホルダ２１のヘッド当接部３０ｂ、３１ｂと、ＬＥＤヘッド２０の突起部２０ｐ１、２０ｐ２とが当接した後、トップカバー６がさらに回転すると、ヘッドホルダ２１が、カバー回転軸７に近い側がヘッド対向部４３から遠ざかる方向に、カバー回転軸７から遠い側のコマ４７と当接している箇所を中心に回転することにより、カバー回転軸７に近い側の丸孔２０ｈ１がヘッド対向部４３に設けられたボス４４から抜け始める。
【００８４】
図１０（Ｂ）に示す状態からさらにトップカバー６が回転すると、図１０（Ｃ）に示すように、ＬＥＤヘッドＡｓｓｙ８は、トップカバー６の回転にともなって、保持部材２２がさらに上昇する。このときも保持部材２２は、カバー回転軸７から近い側より遠い側の方が大きく上昇する。
【００８５】
このときヘッドホルダ２１は、連結ピン２８が長孔２６ｈの下端に到達する。これによりヘッドホルダ２１は、保持部材２２とともに、カバー回転軸７から近い側より遠い側の方が大きく上昇する。またこのときＬＥＤヘッド２０も、突起部２０ｐ１、２０ｐ２が、ヘッドホルダ２１のヘッド当接部３０ｂ、３１ｂと当接していることにより、ヘッドホルダ２１とともに、カバー回転軸７から近い側より遠い側の方が大きく上昇する。これにより、ＬＥＤヘッド２０は、カバー回転軸７から遠い側がコマ４７から離れ始めるとともに、カバー回転軸７から遠い側の長孔２０ｈ２がボス４５から抜け始める。
【００８６】
このとき、ＬＥＤヘッド２０は、画像形成ユニット９のヘッド対向部４３とほぼ平行であり、且つカバー回転軸７に近い側の丸孔２０ｈ１が、既にヘッド対向部４３に設けられたボス４４のテーパ形状でなる先端部まで抜けているので、丸孔２０ｈ１とボス４４とが干渉することはない。一方、カバー回転軸７から遠い側の長孔２０ｈ２とボス４５については、長孔２０ｈ２の長手方向の長さがボス４５の径より長くなっていることにより、長孔２０ｈ２がボス４５に対して傾きながら抜け始めても互いに干渉しないようになっている。
【００８７】
この図１０（Ｃ）に示すように、ＬＥＤヘッドＡｓｓｙ８は、ＬＥＤヘッド２０におけるカバー回転軸７に近い側の丸孔２０ｈ１が、ヘッド対向部４３に設けられたボス４４から抜け始めた後、トップカバー６がさらに回転すると、ヘッドホルダ２１の上昇にともなって、ＬＥＤヘッド２０が、カバー回転軸７から近い側より遠い側の方が大きく上昇することにより、カバー回転軸７から遠い側の長孔２０ｈ２もヘッド対向部４３に設けられたボス４５から抜け始める。
【００８８】
図１０（Ｃ）に示す状態からさらにトップカバー６が回転すると、図１１（Ａ）に示すように、ＬＥＤヘッドＡｓｓｙ８は、トップカバー６の回転にともなって、全体的にカバー回転軸７から近い側より遠い側の方が大きく上昇する。
【００８９】
これにより、ＬＥＤヘッド２０は、カバー回転軸７から遠い側の長孔２０ｈ２の方が先にボス４５から抜ける。このとき、ＬＥＤヘッド２０におけるカバー回転軸７に近い側の丸孔２０ｈ１は、既にボス４４のテーパ形状でなる先端部まで抜けているので、ボス４４と干渉することはない。
【００９０】
図１１（Ａ）に示す状態からさらにトップカバー６が回転すると、図１１（Ｂ）に示すように、ＬＥＤヘッドＡｓｓｙ８は、トップカバー６の回転にともなって、全体的にカバー回転軸７から近い側より遠い側の方が大きく上昇する。これにより、ＬＥＤヘッド２０は、カバー回転軸７に近い側の丸孔２０ｈ１もボス４５から抜ける。この時点で、ＬＥＤヘッド２０が、画像形成ユニット９から完全に離間した状態となる。
【００９１】
以降、ＬＥＤヘッドＡｓｓｙ８は、トップカバー６の回転にともなって、画像形成ユニット９から離れていく。トップカバー６が開く際のＬＥＤヘッドＡｓｓｙ８の動作は以上のようになっている。
【００９２】
［５．まとめと効果］
ここまで説明したように、本実施の形態による画像形成装置１は、装置本体部５に対して開閉可能なトップカバー６の内面６ｂに、ＬＥＤヘッド２０を含んだ構成部品であるＬＥＤヘッドＡｓｓｙ８を設け、トップカバー６の開閉により、ＬＥＤヘッドＡｓｓｙ８のＬＥＤヘッド２０が、装置本体部５に設けられた画像形成ユニット９に対して当接・離間するように構成されている。
【００９３】
そのうえで、画像形成装置１では、ＬＥＤヘッドＡｓｓｙ８に、ＬＥＤヘッド２０を長手方向の一端側がカバー回転軸７に近い側となり他端側がカバー回転軸７から遠い側となる向きで保持するヘッドホルダ２１と、トップカバー６の内面６ｂに取り付けられていてヘッドホルダ２１を保持する保持部材２２とを設け、保持部材２２には、カバー回転軸７に近い側に、カバー回転軸７と平行な連結ピン２７を中心にヘッドホルダ２１を回転可能に支持する第１のホルダ支持部２５を設け、カバー回転軸７から遠い側に、トップカバー６の内面６ｂに近づく方向及び内面６ｂから遠ざかる方向に一定の範囲内でヘッドホルダ２１を揺動可能に支持する第２のホルダ支持部２６を設けた。
【００９４】
こうすることで、画像形成装置１では、トップカバー６が開く際、ヘッドホルダ２１が、カバー回転軸７から遠い側がトップカバー６の内面６ｂから遠ざかる方向に、保持部材２２に対してカバー回転軸７に近い側の連結ピン２７を中心に一定量回転しながら、ＬＥＤヘッド２０を画像形成ユニット９から離間させていくことができる。つまり、画像形成装置１は、画像形成ユニット９に対するＬＥＤヘッド２０の傾きを従来よりも小さくした状態で、ＬＥＤヘッド２０を画像形成ユニット９から離間させていくことができる。
【００９５】
こうすることで、画像形成装置１では、ＬＥＤヘッド２０におけるカバー回転軸７に近い側に設けられた丸孔２０ｈ１が、画像形成ユニット９におけるカバー回転軸７に近い側に設けられたボス４４から抜けるときの、ボス４４に対する丸孔２０ｈ１の傾きを従来より小さくでき、丸孔２０ｈ１とボス４４とが干渉することをより確実に防ぐことができる。かくして、画像形成装置１では、画像形成ユニット９に対してＬＥＤヘッド２０をスムーズに離間させることができる。
【００９６】
さらに画像形成装置１では、トップカバー６が開く際、ヘッドホルダ２１が、カバー回転軸７から遠い側がトップカバー６の内面６ｂから遠ざかる方向に、保持部材２２に対してカバー回転軸７に近い側の連結ピン２７を中心に一定量回転する過程で、ＬＥＤヘッド２０が、カバー回転軸７に近い側が画像形成ユニット９のヘッド対向部４３から遠ざかる方向に、カバー回転軸７から遠い側のコマ４７と当接している箇所を中心に回転して、カバー回転軸７に近い側の丸孔２０ｈ１がボス４４から抜け始めるようにした。
【００９７】
つまり、画像形成装置１では、丸孔２０ｈ１がボス４４から抜け始めるときには、丸孔２０ｈ１及びボス４４から見て、コマ４６より離れた位置にあるコマ４７と当接している箇所を中心にＬＥＤヘッド２０を回転させるようにしたことにより、丸孔２０ｈ１がボス４４から抜けるときのボス４４に対する丸孔２０ｈ１の傾きを従来と比べて十分に小さくすることができる。
【００９８】
［６．他の実施の形態］
［６−１．他の実施の形態１］
尚、上述した実施の形態では、トップカバー６が開く際に、ＬＥＤヘッド２０を、カバー回転軸７に近い側が画像形成ユニット９のヘッド対向部４３から遠ざかる方向に、カバー回転軸７から遠い側のコマ４７と当接している箇所を中心に回転させることで、カバー回転軸７に近い側の丸孔２０ｈ１の方が先にボス４４から抜け始めるようにした。
【００９９】
これに限らず、カバー回転軸７から遠い側の連結ピン２８が挿入されている長孔２６ｈの長さを変えることで、トップカバー６が開く際に、カバー回転軸７に近い側の丸孔２０ｈ１と、カバー回転軸７から遠い側の長孔２０ｈ２とが、ほぼ同時にボス４４、４５から抜け始めるようにしてもよい。
【０１００】
［６−２．他の実施の形態２］
また上述した実施の形態では、ヘッドホルダ２１が、ＬＥＤヘッド２０を、トップカバー６の内面６ｂに近づく方向及び内面６ｂから遠ざかる方向に揺動可能に支持するようになっていたが、これに限らず、ヘッドホルダ２１に対してＬＥＤヘッド２０が固定されていたり、ヘッドホルダ２１とＬＥＤヘッド２０とが一体になっていたりしてもよい。
【０１０１】
［６−３．他の実施の形態３］
さらに上述した実施の形態では、カバー回転軸７に近い側に位置する丸孔２０ｈ１とボス４４とにより、カバー回転軸７に近い側でＬＥＤヘッド２０の位置決めを行うようにしたが、これに限らず、ＬＥＤヘッド２０における丸孔２０ｈ１の位置と長孔２０ｈ２との位置を入れ替えて、カバー回転軸７から遠い側に位置する丸孔２０ｈ１とボス４５とによりＬＥＤヘッド２０の位置決めを行うようにしてもよい。この場合も、ＬＥＤヘッドＡｓｓｙ８の基本的な動作については、上述した実施の形態と同様にすればよい。
【０１０２】
またこのように、カバー回転軸７から遠い側に位置する丸孔２０ｈ１とボス４５とによりＬＥＤヘッド２０の位置決めを行うようにした場合、カバー回転軸７とこれら丸孔２０ｈ１及びボス４５との距離に余裕ができることから、カバー回転軸７とＬＥＤヘッドＡｓｓｙ８及び画像形成ユニット９との距離を短くして、画像形成装置１全体を小型化することもできる。
【０１０３】
［６−４．他の実施の形態４］
さらに上述した実施の形態では、保持部材２２に設けられた第１の支持部の具体例である第１のホルダ支持部２５が、丸孔２５ｈが設けられた支持プレート２５ｐと、ヘッドホルダ２１に設けられた長孔２１ｈ１と、丸孔２５ｈ及び長孔２１ｈ１に挿入された連結ピン２７からなる構造によって、ヘッドホルダ２１におけるカバー回転軸７に近い側をカバー回転軸７と平行な回転軸を中心に回転可能に支持するようにした。
【０１０４】
これに限らず、支持プレート２５ｐと、長孔２１ｈ１と、連結ピン２７からなる構造とは異なる構造を用いて、第１のホルダ支持部２５が、ヘッドホルダ２１におけるカバー回転軸７に近い側をカバー回転軸７と平行な回転軸を中心に回転可能に支持するようにしてもよい。例えば、第１のホルダ支持部２５が、ヘッドホルダ２１又は保持部材２２に設けられた丸孔と、この丸孔に挿入された、ヘッドホルダ２１と保持部材２２とを連結する連結ピンとによって、ヘッドホルダ２１におけるカバー回転軸７に近い側をカバー回転軸７と平行な回転軸を中心に回転可能に支持するようにしてもよい。
【０１０５】
さらに上述した実施の形態では、保持部材２２に設けられた第２の支持部の具体例である第２のホルダ支持部２６が、長孔２６ｈが設けられた支持プレート２６ｐと、ヘッドホルダ２１に設けられた長孔２１ｈ２と、長孔２６ｈ及び長孔２１ｈ２に挿入された連結ピン２８からなる構造によって、ヘッドホルダ２１におけるカバー回転軸７から遠い側をトップカバー６の内面６ｂに近づく方向及び内面６ｂから遠ざかる方向に一定の範囲内で揺動可能に支持するようにした。
【０１０６】
これに限らず、支持プレート２６ｐと、長孔２１ｈ２と、連結ピン２８からなる構造とは異なる構造を用いて、第２のホルダ支持部２６が、ヘッドホルダ２１におけるカバー回転軸７から遠い側をトップカバー６の内面６ｂに近づく方向及び内面６ｂから遠ざかる方向に一定の範囲内で揺動可能に支持するようにしてもよい。例えば、第２のホルダ支持部２６が、ヘッドホルダ２１又は保持部材２２に設けられた長孔と、この長孔に挿入された、ヘッドホルダ２１と保持部材２２とを連結する連結ピンとによって、ヘッドホルダ２１におけるカバー回転軸７から遠い側をトップカバー６の内面６ｂに近づく方向及び内面６ｂから遠ざかる方向に一定の範囲内で揺動可能に支持するようにしてもよい。
【０１０７】
［６−５．他の実施の形態５］
さらに、上述した実施の形態では、電子写真方式のカラープリンタであり、ロール紙に印刷する画像形成装置１に本発明を適用したが、これに限らず、電子写真方式の画像形成装置であり、開閉カバーの開閉動作にともなって露光ヘッドが装置本体の画像形成ユニットに対して当接・離間するように構成されたものであれば、画像形成装置１とは異なる構成の画像形成装置にも適用できる。例えば、画像形成ユニットで形成された現像剤像を転写ベルトではなく直接、媒体に転写する構成の画像形成装置に適用してもよい。また１個の画像形成ユニットを有する単色の画像形成装置や、４個以上の画像形成ユニットを有するカラーの画像形成装置に適用してもよい。さらに、ロール紙以外の媒体に画像を形成する画像形成装置に適用してもよい。さらに、電子写真方式のコピー機やファクシミリ、複合機などの画像形成装置に適用してもよい。
【０１０８】
［６−６．他の実施の形態６］
さらに上述した各実施の形態では、画像形成装置１に、開閉カバーの具体例としてトップカバー６を設けたが、これに限らず、開閉可能なものであれば、トップカバー６とは異なる開閉カバーを画像形成装置１に設けるようにしてもよい。さらに上述した各実施の形態では、画像形成装置１に、露光部の具体例として、ヘッドホルダ２１及びＬＥＤヘッド２０を設けたが、これに限らず、露光ヘッドを有するものであれば、ヘッドホルダ２１及びＬＥＤヘッド２０とは異なる構成の露光部を画像形成装置１に設けるようにしてもよい。例えば、ＬＥＤヘッド２０とは異なる光源を持つ露光ヘッドを有する露光部を設けるようにしてもよい。さらに上述した各実施の形態では、画像形成装置１に、露光部を保持する保持部の具体例として、保持部材２２を設けたが、これに限らず、保持部材２２と同等に機能するものであれば、保持部材２２とはは異なる保持部を設けてもよい。
【０１０９】
さらに上述した各実施の形態では、画像形成ユニット９に、ＬＥＤヘッド２０と当接する第１の当接部の具体例であるコマ４６と第２の当接部の具体例であるコマ４７とを設けたが、これに限らず、ＬＥＤヘッド２０と当接するものであれば、コマ４６及びコマ４７とは異なる第１の当接部及び第２の当接部を設けてもよい。さらに上述した各実施の形態では、ＬＥＤヘッド２０にヘッド側位置決め部の具体例として丸孔２０ｈ１を設け、画像形成ユニット９にユニット側位置決め部の具体例としてボス４４を設けた。これに限らず、互いに嵌合するものであれば、丸孔２０ｈ１とは異なるヘッド側位置決め部をＬＥＤヘッド２０に設けてもよく、またボス４４とは異なるユニット側位置決め部を画像形成ユニット９に設けてもよい。さらに上述した各実施の形態では、ヘッドホルダ２１に、付勢部の具体例である圧縮スプリング３２、３３を設けたが、これに限らず、圧縮スプリング３２、３３と同等に機能するものであれば、圧縮スプリング３２、３３とは異なる付勢部をヘッドホルダ２１に設けてもよい。
【０１１０】
［６−７．他の実施の形態７］
さらに、本発明は、上述した各実施の形態に限定されるものではない。すなわち本発明は、上述した各実施の形態の一部または全部を任意に組み合わせた実施の形態や、一部を抽出した実施の形態にもその適用範囲が及ぶものである。
【産業上の利用可能性】
【０１１１】
本発明は、例えば、電子写真方式のプリンタや、コピー機、ファクシミリ、複合機などの画像形成装置で広く利用することができる。
【符号の説明】
【０１１２】
１……画像形成装置、２……印刷装置、４……装置筐体、５……装置本体部、６……トップカバー、６ｂ……内面、７……カバー回転軸、８……ＬＥＤヘッドＡｓｓｙ、９……画像形成ユニット、２０……ＬＥＤヘッド、２０ｈ１……丸孔、２０ｈ２……長孔、２１……ヘッドホルダ、２２……保持部材、２５……第１のホルダ支持部、２５ｈ……丸孔、２６……第２のホルダ支持部、２６ｈ……長孔、２７、２８……連結ピン、３２、３３……圧縮スプリング、４１……イメージドラム、４４、４５……ボス、４６、４７……コマ。
【図１】
2020118868.tif 000003
【図２】
2020118868.tif 000004
【図３】
2020118868.tif 000005
【図４】
2020118868.tif 000006
【図５】
2020118868.tif 000007
【図６】
2020118868.tif 000008
【図７】
2020118868.tif 000009
【図８】
2020118868.tif 000010
【図９】
2020118868.tif 000011
【図１０】
2020118868.tif 000012
【図１１】
2020118868.tif 000013